(57)【特許請求の範囲】
【請求項１】
商品の包装面に貼付されるとともに、通常価格と、この通常価格を特定するバーコード
と、を印字された商品ラベルと、
略長方形状または略正方形の形状を有し、前記商品ラベルの少なくとも一部に重ねる値下げラベルにおいて、
前記値下げラベルは、
前記商品の値下げ価格情報部、広告情報部、および前記値下げ価格情報部と前記広告情報部との境にＰＯＰライン、を有した印字面と、粘着剤を有した粘着領域および非粘着領域を有した裏面と、を備え、
前記値下げラベルの前記非粘着領域を前記商品ラベルに重ねるように前記値下げラベルに形成した前記ＰＯＰラインを前記商品ラベルの底辺に位置合わせして、前記粘着領域を前記商品の包装面に貼着したことを特徴とする値下げラベル。
【請求項２】
前記商品ラベルの前記バーコードの一部およびその近傍に印字された文字情報を含む位置に前記値下げラベルの非粘着領域を重ねるようにしたことを特徴とする請求項１記載の値下げラベル。
【請求項３】
前記値下げラベルの値下げ価格情報部は、前記商品の値下げ価格を特定する識別コードを印字またはＩＣチップに記憶してあることを特徴とする請求項１または２記載の値下げラベル。
【発明の詳細な説明】
【技術分野】
【０００１】
本発明は、スーパー・小売店・デパートなどで、商品の値下げを行う際に適した値下げラベルに関するものである。
【背景技術】
【０００２】
スーパー・小売店などでは、商品を加工したパック商品（生鮮食料品）が販売されている。
パック商品は、フィルムなどで包装されて販売され、その包装面には、商品名・内容量・消費期限日・通常価格・バーコードなどを印字した商品ラベルが貼着されている。
生鮮食料品は、一定の期間または時間が経過すると、通常価格から価格を下げたマークダウン（値下げ）することが行われている。
【０００３】
マークダウンする際には、値下げ価格と、値下げ情報を含む内容のバーコードを印字した値下げラベルを商品ラベルに印字したバーコードを覆うように貼付して、レジでの通常価格の読み取りを防止している。
【０００４】
値下げ価格を印字した値下げラベルは、値下げ前の価格情報を含んだ商品ラベルのバーコードの一部を隠蔽するように貼り付けるので、取り扱いが難しいという欠点もある。
またバーコードの一部を隠蔽するように値下げラベルを貼付しなければならないとともに、商品ラベルに印字された他の商品情報を極力隠さないようにしなければならず作業効率の向上が望めない。
また値下げラベルには、全面に粘着剤が塗布されているので、商品ラベルと重ねて貼付された部分が隠蔽されるので、商品ラベルに印字した商品情報を購入者が読めなくなる問題がある。
【０００５】
特許文献１には、値下げ前の価格情報を含んだバーコードを備えた値下げ対象の商品に対して、値下げ価格バーコードラベルを値下げ前の価格情報を含んだバーコードの上に貼り付し、その後、値下げ価格を印字した本体を値下げ対象の商品上に貼付する値下げ価格バーコードラベルおよびその貼付方法が記載されている。
【０００６】
しかしながら、特許文献１の発明によると、値下げ前の価格情報を含んだバーコードと、値下げ価格バーコードラベル とが、それぞれ商品上の任意の位置に貼付けるため、レジで価格のバーコードをスキャンする際にバーコードを見分ける必要があり、操作が煩雑となる欠点がある。
【０００７】
【特許文献１】特開２０００−３４４２１８号公報
【発明の開示】
【発明が解決しようとする課題】
【０００８】
この発明は、斯かる実情に鑑み成されたもので、値下げする商品についてレジにおける値引き忘れを防止する値下げラベルを提供することを課題とする。
また、値下げ情報を表示した値下げラベルを商品に貼付のための貼着作業の効率を向上させることができる値下げラベルを提供することを課題とする。
また、商品ラベルに印字した商品情報を値下げラベルによって隠蔽されないようにした値下げラベルを提供することを課題とする。
【課題を解決するための手段】
【０００９】
本発明は、値下げラベルの粘着領域に着目したもので請求項１にかかる発明の要旨は、商品の包装面に貼付されるとともに、通常価格と、この通常価格を特定するバーコードと、を印字された商品ラベルと、略長方形状または略正方形の形状を有し、前記商品ラベルの少なくとも一部に重ねる値下げラベルにおいて、前記値下げラベルは、前記商品の値下げ価格情報部、広告情報部、および前記値下げ価格情報部と前記広告情報部との境にＰＯＰライン、を有した印字面と、粘着剤を有した粘着領域および非粘着領域を有した裏面と、を備え、前記値下げラベルの前記非粘着領域を前記商品ラベルに重ねるように前記値下げラベルに形成した前記ＰＯＰラインを前記商品ラベルの底辺に位置合わせして、前記粘着領域を前記商品の包装面に貼着したことを特徴とする値下げラベルにある。
また請求項２にかかる発明の要旨は、前記商品ラベルの前記バーコードの一部およびその近傍に印字された文字情報を含む位置に前記値下げラベルの非粘着領域を重ねるようにしたことを特徴とする請求項１記載の値下げラベルにある。
また請求項３にかかる発明の要旨は、前記値下げラベルの値下げ価格情報部は、前記商品の値下げ価格を特定する識別コードを印字またはＩＣチップに記憶しあることを特徴とする請求項１または２記載の値下げラベルにある。
【発明の効果】
【００１０】
本発明の値下げラベルは、値下げラベルに有した指標を商品ラベルの底辺に位置決めするだけで、容易に包装面に貼付することができ値下げラベルの貼着作業の作業効率が向上する。
また、値下げラベルに有した非粘着領域を商品ラベルに重ねるので、商品の購入者は、値下げラベルを捲る操作するだけで商品ラベルに印字された商品情報を読み取ることができ、値下げ商品に対する必要な情報を読み取ることができる。
【発明を実施するための最良の形態】
【００１１】
本発明の実施の形態を図１ないし図２に基づいて説明する。
図１（ａ）は、本発明の値下げラベルの表面側からの平面図であり、（ｂ）は、本発明の値下げラベルの裏面側からの平面図であり、図２は、本発明の値下げラベルの使用状態を示した説明図である。
【００１２】
商品ラベルＭは、略長方形状の紙媒体からなり、一方の面（表面）に商品情報を印字する印字面を有し、他方の面（裏面）の全面に粘着剤を塗布した全面粘着領域（図示せず）を形成することができる。
商品ラベルＭの印字面に印字された商品情報は、図示しないプリンタにより印字することができ、商品名１、消費期限日２、通常価格３、バーコード４、製造者５などが印字されている。
【００１３】
この実施の形態での商品情報としての商品名１に「国内産  牛肩」、消費期限日２に「０９．１０．２０」、通常価格３に「３８０円」、バーコード４に「２１２０３８０９」（一部図示せず）、製造者５に「○○店  ○○市○○町１  ＴＥＬ○○○」（一部図示せず）と印字されている。
バーコード４には、商品名１および通常価格３をコード化した情報を印字することができ、レジ（図示せず）での精算時に、バーコード４をスキャンすることにより通常価格の「３８０円」として精算される。
このように印字された商品ラベルＭは、裏面側に形成した粘着剤により、図示しない商品の包装面に貼着することができる。
【００１４】
値下げラベルＳは、略長方形状または略正方形の紙媒体からなり、一方の面（表面または印字面）に値下げ情報を印字する印字面を有し、他方の面（裏面）に粘着領域１３と非粘着領域１４とを形成することができる。
値下げラベルＳに印字した値下げ情報は、図示しないプリンタにより印字することができ、ＰＯＰ（Ｐｏｉｎｔ  ｏｆ  Ｐｕｒｃｈａｓｅ  ａｄｖｅｒｔｉｓｉｎｇ）部８と、値下げ用バーコード部９と、値下げ価格部１０と、指標１１と、を印字することができる。
【００１５】
この実施の形態での値下げ情報としては、ＰＯＰ部８に「お買得品」、バーコード部９に「２１２０２９０６」をコード化したバーコード、値下げ価格部１０に「２９０円」と印字されている。
値下げ用バーコード部９は、商品名および値下げ価格としての「２９０円」をコード化したバーコード（識別コード）の情報を印字することができる。
また指標１１は、値下げラベルＳの対峙する一対の辺にショートライン１２，１２として各々形成されている。ショートライン１２，１２は、プレ印刷または図示しないプリンタにより値下げ情報とともに印字することができる。
また指標１１は、値下げラベルＳの裏面に形成した後述する粘着領域１３と非粘着領域１４との境界ラインとすることができる。
【００１６】
値下げラベルＳの裏面側には、粘着剤を塗布した粘着領域１３と非粘着領域１４とを有している。
粘着領域１３は、値下げラベルＳの略長方形状の一辺を基準に所定の幅を有した略長方形状の粘着領域１３を有している。粘着領域１３は、裏面側全体の領域の１／５ないし１／３を有することができる。また粘着領域１３は、商品（図示せず）の包装面に貼着することができる。
【００１７】
非粘着領域１４は、粘着剤が塗布されていない領域であり、紙媒体自体の面またはシリコーンなどの剥離剤を塗布された面で形成されてある。
非粘着領域１４は、商品ラベルＭの印字面（表面）に貼り付かないように重ねて、粘着領域１３を商品の包装面に貼付することができる。
【００１８】
次に、値下げラベルＳを商品ラベルＭに重ねる方法について説明する。
商品としてパック商品（図示せず）の包装面に貼付された商品ラベルＭに印字されたバーコード４部分と、値下げラベルＳの裏面側に形成した非粘着領域１４とを重ねるように値下げラベルＳを商品ラベルＭに近づけて値下げラベルＳを包装面に貼付することができる。
【００１９】
具体的には、商品ラベルＭのバーコード４の少なくとも一部のバーコードの長さ（高さ）部分を全て覆うように値下げラベルＳの非粘着領域１４を位置させる。（重ねステップ）
次に、値下げラベルＳの指標１１としてのショートライン１２を商品ラベルＭの底辺（縁部）６に重ねるように値下げラベルＳの体制を位置させる。（位置決めステップ）
そして、値下げラベルＳの粘着領域１３を包装面に貼付させることにより、商品ラベルＭと値下げラベルＳとの重なった部分は、貼着することなく間隙を介して重なっている。（貼付ステップ）
尚、値下げラベルＳのショートライン１２を商品ラベルＭの底辺６に重ねるように説明したが、底辺６のやや下方（包装面側）に位置させることができる。
【００２０】
このように、商品ラベルＭと値下げラベルＳとの重なった部分は、貼り付かないので互いのラベルが間隙を有して重なっている。
この状態で、値下げラベルＳの非粘着領域１４を手操作で捲ることにより、商品ラベルＭのバーコード４を含む他の商品情報を容易に目視確認することがでる。
この実施の形態では、値下げラベルＳを捲ることにより、バーコード４と製造者５を目視確認することができる。購入者は、値下げされた商品であっても、値下げラベルＳを捲ることにより商品ラベルＭに印字された商品情報の全てを確認することができる。
【００２１】
また、レジでバーコードをスキャンして精算する場合には、商品ラベルＭのバーコード４の少なくとも一部を値下げラベルＳが覆っているので通常価格を読まれることがないので、通常価格を間違って読み取るようなことを防止することができ、値下げラベルＳの値下げ用バーコード９を読み取ることができる。
【００２２】
図３は値下げラベルの第二の例を示した表面側からの平面図であり、値下げラベルＳ１は、広告情報部としてのＰＯＰ（広告）部１５と、値下げ価格情報部としての値下げ用バーコード部１６と、値下げ価格部１７と、を印字することができる。
広告情報部と値下げ価格情報部との境には、指標としてのＰＯＰライン１８を形成することができる。
値下げ用バーコード部１６は、商品名および値下げ価格としての「２９０円」をコード化した情報を印字することができる。
このように構成した値下げラベルＳ１は、指標としてのＰＯＰライン（境界ライン）１８を境に、値下げ価格情報部の裏面を粘着剤で塗布した粘着領域と、ＰＯＰ部１５の裏面を非粘着領域として形成することができ、前述のような効果を得ることができる。
【００２３】
図４は値下げラベルの第三の例を示した表面側からの平面図であり、値下げラベルＳ２は、ＰＯＰ（広告）部１９と、値下げ用バーコード部２０を印字した値下げ価格情報部を有している。
ＰＯＰ部１９には、「２０％引」と印字され、値下げ用バーコード部２０には、「２１２０３００７」をコード化したバーコードが印字されている。
ＰＯＰ部１９と値下げ価格情報部２０との境界には、指標２１としての一対の切り欠き部２１ａ，２１ａを形成することができる。
この指標（境界ライン）２１を境に値下げ価格情報部２０の裏面に粘着剤を有した粘着領域として、ＰＯＰ部１９の裏面を非粘着領域として形成することができ、前述のような効果を得ることができる。
【００２４】
図５は値下げラベルの第四の例を示した裏面側からの平面図であり、値下げラベルＳ３は、粘着剤を有した粘着領域２２と、非粘着領域２３とを、値下げラベルＳ３を貼着させる位置を基準に左右に区分するように形成することができる。
また、値下げラベルＳ３の印字面には、粘着領域２２と非粘着領域２３とを区分することが判断できる指標としての一対のショートライン２４、２４（破線部分）が形成されている。
このような構造にすることにより、商品ラベルＭの側辺（縁部）７（図２参照）に沿って粘着領域２２を包装面に貼着し、非粘着領域２３を商品ラベルに重ねることができ、前述のような効果を得ることができる。
【００２５】
この実施の形態の指標は、ショートラインまたは切り欠き部で説明したが、一方から他方の片に亘る線またはミシン目など任意に設定することができる。
また、値下げラベルに印字したバーコードの識別コードは、スキャナーで読み取ることが可能な２次元コード・ＯＣＲ文字あるいはアンテナと値下げ情報をＩＣチップに記憶したＲＦＩＤ（Ｒａｄｉｏ  Ｆｒｅｑｕｅｎｃｙ  ＩＤｅｎｔｉｆｉｃａｔｉｏｎ）などを含むことができる。
また、商品及び値下げ価格を特定する値下げ情報を記憶した上記ＲＦＩＤ付の値下げラベルの場合には、値下げラベルを他の商品に貼り替えされても、レジでＲＦＩＤ読取装置（図示せず）により商品と照合ができ貼り替えされたことが判断できる。
またこの実施の形態のバーコードのコードは、適宜に表示したものである。
【００２６】
この実施に形態の値下げラベルの粘着領域は、この実施の形態に限定されず、粘着領域を包装面に貼付することができる領域であれば、粘着領域の大きさ（面積）、形状、位置など任意に設定することができる。
また、値下げラベルの粘着領域を商品の包装面に貼付する例で説明したが、商品自体に貼付することができる。
【００２７】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００２８】
【図１】（ａ）本発明の値下げラベルの表面側からの平面図である。（ｂ）本発明の値下げラベルの裏面側からの平面図である。
【図２】同上、値下げラベルの使用状態を示した説明図である。
【図３】同上、第二の例を示した値下げラベルの表面側からの平面図である。
【図４】同上、第三の例を示した値下げラベルの表面側からの平面図である。
【図５】同上、第四の例を示した値下げラベルの裏面側からの平面図である。
【符号の説明】
【００２９】
１      商品名
２      消費期限日
３      通常価格
４      バーコード
５      製造者
８      ＰＯＰ部
９      バーコード部（値下げ用）
１０      値下げ価格部
１１      指標
１２      ショートライン
１３      粘着領域
１４      非粘着領域
１８      ＰＯＰライン（指標）
２１      指標
２１ａ    切り欠き部  
Ｍ      商品ラベル
Ｓ      値下げラベル
【図１】
0005362243.tif 000002
【図２】
0005362243.tif 000003
【図３】
0005362243.tif 000004
【図４】
0005362243.tif 000005
【図５】
0005362243.tif 000006